(57)【要約】【課題】クリアドームの内壁に結露が生じたとしても、水滴を外部に排水することでカメラの視認性低下を防止するとともに、その性能を安定保持することが可能なカメラ装置を得る。【解決手段】カメラ装置は、カメラユニットと、カメラユニットを支持する支持部と、支持部を固定するシャーシと、シャーシの側面周囲を覆うカバーと、シャーシまたはカバーに取り付けられ、カメラユニットを覆うクリアドームと、クリアドームの外側表面に形成された親水性膜と、を備え、クリアドームには、外側表面と内側表面を貫通する排水穴が設けられたものである。【選択図】図２
2018121140.tif 000002
【特許請求の範囲】
【請求項１】
カメラユニットと、
前記カメラユニットを支持する支持部と、
前記支持部を固定するシャーシと、
前記シャーシの側面周囲を覆うカバーと、
前記シャーシまたは前記カバーに取り付けられ、前記カメラユニットを覆うクリアドームと、
前記クリアドームの外側表面に形成された親水性膜と、を備え、
前記クリアドームには、前記外側表面と内側表面を貫通する排水穴が設けられたことを特徴とするカメラ装置。
【請求項２】
前記親水性膜の表面における純水に対する接触角は、４０度以下であることを特徴とする請求項１に記載のカメラ装置。
【請求項３】
前記クリアドームの前記外側表面において最も下側に位置する最下点を通る平面を下水平面とし、前記下水平面を前記クリアドームの最大直径の２０％に相当する高さだけ鉛直上方に平行移動した平面を上水平面とし、前記下水平面と前記上水平面に挟まれる領域を前記クリアドームの先端部領域としたとき、前記クリアドームの前記先端部領域に設けられた前記排水穴の前記クリアドームの前記内側表面の底面積の和を、前記排水穴を形成する前の前記クリアドームの前記先端部領域に対応する前記クリアドームの前記内側表面の表面積で除して計算した排水穴底面積占有率が、前記クリアドームの前記先端部領域以外における排水穴底面積占有率よりも大きいことを特徴とする請求項１または請求項２に記載のカメラ装置。
【請求項４】
前記クリアドームに設けられた前記排水穴の直径は、前記排水穴の深さ方向に勾配を有しており、
前記クリアドームの前記内側表面よりも前記外側表面で前記排水穴の直径が小さいことを特徴とする請求項１から請求項３のいずれか１項に記載のカメラ装置。
【請求項５】
カメラユニットと、
前記カメラユニットを支持する支持部と、
前記支持部を固定するシャーシと、
前記シャーシの側面周囲を覆うカバーと、
前記シャーシまたは前記カバーに取り付けられ、前記カメラユニットを覆うクリアドームと、を備え、
前記クリアドームは、セラミックス材料により構成されたことを特徴とするカメラ装置。
【請求項６】
前記シャーシの内部に、前記シャーシの内部に存在する空気の循環を促進する循環ファンと、空気中に含まれる異物の除去が可能なフィルタが配置されているとともに、前記シャーシの表面に設けられた貫通穴から取り込んだ外気が前記フィルタを通過した後で、前記シャーシの底面に設けられた別の貫通穴を介して前記クリアドームと前記シャーシの前記底面で囲まれた前記クリアドームの内部領域に排出されることを特徴とする請求項１または請求項５に記載のカメラ装置。
【発明の詳細な説明】
【技術分野】
【０００１】
この発明は、カメラ装置に関するものであり、例えば、内部に発生した結露による視認性低下を抑制する構成を備えた監視カメラ等のカメラ装置に関するものである。
【背景技術】
【０００２】
従来、監視カメラ等のカメラ装置には、映像を撮影するレンズを外部からの打撃や汚れ付着から保護するためのクリアドームが設けられている。このクリアドームの内外の温度差により、クリアドームの内壁には結露が生じ、この結露による水滴がクリアドームの内壁に付着すると、この水滴により外部からの入射光が散乱して監視カメラの視認性を劣化させる要因になっている。この視認性劣化を抑制するために、結露の発生を防止する装置を組み込んだ監視カメラが開発されている。
【０００３】
従来のカメラ装置では、クリアドームの内部に結露防止用の風を発生するファンとヒータを備えており、温風をクリアドームに吹き付けることにより結露の発生を防止している（例えば、特許文献１参照）。
また、従来の監視カメラでは、水の電気分解を利用した除湿素子を搭載することにより結露の発生を防止している（例えば、特許文献２参照）。
【先行技術文献】
【特許文献】
【０００４】
【特許文献１】特開２００５−２１５４６３号公報
【特許文献２】特許第４４０１９７５号公報
【発明の概要】
【発明が解決しようとする課題】
【０００５】
しかしながら、特許文献１に開示された従来のカメラ装置では、任意のレンズ位置における監視カメラの撮影範囲全体の結露を防止しようとすると、広範囲に温風を吹き付ける必要があるため、ノズルの数を増やしたり、ノズル径を大きくしたりしなければならない。これにより、監視カメラの構成が複雑となるだけでなく、ノズルとレンズが干渉しないようにクリアドームを大きくする必要もあり、装置の大型化やコストアップが懸念される問題があった。
【０００６】
また、特許文献２に開示された従来の監視カメラでは、除湿の原理である水の電気分解を低温下で進行させるためには白金触媒が必要であり、この白金は非常に高価な金属であるためコストアップが懸念される。さらに、白金が経時的に酸化して劣化することにより、徐々に除湿性能が低下し、長期的に除湿性能を保持することができない問題があった。
さらに、いずれの特許文献においても、長期的に安定して結露を防止することは困難であり、クリアドームの内壁に水滴が付着することによる監視カメラの視認性低下が懸念される問題があった。
【０００７】
この発明は、上述のような問題点を解決するためになされたものであり、たとえクリアドームの内壁である内側表面に結露が生じたとしても、直ちに水滴を外部に排水することで監視カメラの視認性低下を防止するとともに、その性能を経時劣化することなく安定保持することが可能なカメラ装置を得ることを目的としている。
【課題を解決するための手段】
【０００８】
この発明に係るカメラ装置は、カメラユニットと、前記カメラユニットを支持する支持
部と、前記支持部を固定するシャーシと、前記シャーシの側面周囲を覆うカバーと、前記シャーシまたは前記カバーに取り付けられ、前記カメラユニットを覆うクリアドームと、前記クリアドームの外側表面に形成された親水性膜と、を備え、前記クリアドームには、前記外側表面と内側表面を貫通する排水穴が設けられたものである。
また、この発明に係るカメラ装置は、カメラユニットと、前記カメラユニットを支持する支持部と、前記支持部を固定するシャーシと、前記シャーシの側面周囲を覆うカバーと、前記シャーシまたは前記カバーに取り付けられ、前記カメラユニットを覆うクリアドームと、を備え、前記クリアドームは、セラミックス材料により構成されたものである。
【発明の効果】
【０００９】
この発明によるカメラ装置によれば、クリアドームの内側表面と外側表面を貫通する排水穴を設けることにより、クリアドームの内側表面に結露による水滴が付着した場合でも、毛細管現象により水滴が排水穴を通じてクリアドームの外側表面に排水される。このため、クリアドームの内側表面に付着した水滴により入射光が散乱し、監視カメラの視認性が低下することを防止できる。
また、クリアドームの外側表面に排水された水滴は、クリアドームの外側表面に処理された親水性膜により濡れ広がり、水膜を形成するため、外側表面に付着した水膜により入射光が散乱し、監視カメラの視認性が低下することを防止できる。よって、結露を防止するためにファンやヒータあるいは除湿素子を配置する必要がないため、カメラ装置の大型化や複雑化を回避することができる。また、経時的に視認性低下防止効果が低下することがないため、長期の間、視認性低下防止効果を安定保持することができる。
【図面の簡単な説明】
【００１０】
【図１】この発明の実施の形態１に係るカメラ装置を示す斜視図である。
【図２】図１におけるカメラ装置のＡ−Ａ線における断面図である。
【図３】この発明の実施の形態１に係るカメラ装置の要部であるクリアドームの拡大断面図である。
【図４Ａ】この発明の実施の形態１に係るカメラ装置による排水フローを示す断面図である。
【図４Ｂ】この発明の実施の形態１に係るカメラ装置による排水フローを示す断面図である。
【図４Ｃ】この発明の実施の形態１に係るカメラ装置による排水フローを示す断面図である。
【図４Ｄ】この発明の実施の形態１に係るカメラ装置による排水フローを示す断面図である。
【図５】この発明の実施の形態１に係るカメラ装置の排水穴に関する第一の変形例を示すクリアドームの断面図である。
【図６】この発明の実施の形態１に係るカメラ装置の排水穴と親水性膜に関する第二の変形例を示すクリアドームの断面図である。
【図７】この発明の実施の形態２に係るカメラ装置の要部であるクリアドームの拡大断面図である。
【図８】この発明の実施の形態３に係るカメラ装置の要部であるクリアドームの拡大断面図である。
【図９】この発明の実施の形態３に係るカメラ装置のクリアドーム用材料の物性比較結果を表にした図である。
【図１０】この発明の実施の形態４に係るカメラ装置の断面図を示し、図１のＡ-Ａ線における断面図に相当する部分を示す断面図である。
【発明を実施するための形態】
【００１１】
実施の形態１．
以下、図面に基づいてこの発明の実施の形態１について説明する。なお、各図面において、同一符号は同一あるいは相当部分を示す。
図１は、この発明の実施の形態１に係るカメラ装置を示す斜視図である。また、図２は、図１に示すカメラ装置のＡ−Ａ線における断面図である。
図１および図２に示すように、カメラ装置１０は、主に、ベース１１、シャーシ１２、カバー１３、支持部１４、ホルダープレート１５、スプリングプレート１６、カメラ基板１７、撮像装置１８、レンズ１９、クリアドーム２１、排水穴２２、親水性膜２３から構成されている。
【００１２】
ベース１１は、シャーシ１２の上面を覆う円板形状の部品であり、例えば、屋内用の監視カメラ等のカメラ装置１０の場合では天井等の設置箇所に取り付け可能な構造を有している。シャーシ１２の内部には、図示していない装置の電源や撮影された映像の処理部、外部との通信部などが実装されている。カバー１３は、鉄やステンレス等に代表される金属等の硬質材料により形成された中空円筒形状の部品であり、ベース１１またはシャーシ１２の少なくともどちらか一方に固定されている。カバー１３は、シャーシ１２の側面周囲を覆うように固定され、シャーシ１２およびシャーシ１２の内部に実装されている部品を保護している。
【００１３】
シャーシ１２の底面外部には、薄板状の支持部１４がボルト締結などの方法で固定されており、支持部１４はツメ部を有している。支持部１４のツメ部に設けられた穴に対して、ホルダープレート１５の突起部を嵌合することにより支持部１４およびホルダープレート１５は一体化される。
カメラ基板１７は、ＰＰＳ（Ｐｏｌｙ  Ｐｈｅｎｙｌｅｎｅ  Ｓｕｌｆｉｄｅ）等の樹脂材料により成形されており、ホルダープレート１５およびスプリングプレート１６に挟持された状態でねじやボルトにより螺合することで一体化される。さらに、カメラ基板１７は中空円筒形状の突起部を有しており、突起部の内部に撮像装置１８の軸を挿入した状態で固定される。撮像装置１８の先端にはレンズ１９が保持されており、カメラ基板１７、撮像装置１８、レンズ１９によりカメラユニット２０が構成されている。
【００１４】
カメラユニット２０は、上下方向（チルト方向）および水平方向（パン方向）、またはどちらか一方の方向に回動自在な構成となっており、レンズ１９の撮影方向を調整可能である。レンズ１９は、被写体からの光を集めて、カメラ基板１７に取り付けられたＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ‐Ｏｘｉｄｅ  Ｓｅｍｉｃｏｎｄｕｃｔｏｒ）などの撮像素子上に像を形成することで画像として撮影される。
【００１５】
クリアドーム２１は、カバー１３に取り付けられた半楕円球形状の部品である。さらにクリアドーム２１は、カバー１３がベース１１またはシャーシ１２の少なくともどちらか一方に固定されたときに、レンズ１９を含むカメラユニット２０がクリアドーム２１の内部に収納される形状を有し、レンズ１９を保護している。カメラ装置１０により撮影される映像は、クリアドーム２１を介してレンズ１９に入射した光により形成されるため、クリアドーム２１により入射光が遮断されないように、クリアドーム２１は、光透過率が高い透明または半透明材料により構成されることが好ましい。
【００１６】
クリアドーム２１の一般的な構成材料には、成形性および透明性に優れた樹脂材料であるＰＣ（ポリカーボネート）またはＰＭＭＡ（ポリメタクリレート）が使用される。ＰＣは耐衝撃性に優れる材料のため、外部からの打撃に対して破壊されにくく、クリアドーム２１の内部に収納するレンズ１９を含むカメラユニット２０を保護する能力が高い。一方のＰＭＭＡは、ＰＣに比べて紫外線透過率が高いため、より鮮明な映像を撮影可能である。また、紫外線劣化等の耐候性や耐薬品性、耐擦過傷性においてもＰＣよりも優れている。これらの材料は、カメラ装置１０に求められる性能や仕様を鑑みて選択することが好ましい。成形性の点で樹脂材料に劣るため、クリアドーム２１の構成材料として使用される機会は限定されるが、ガラス材料を使用してクリアドーム２１を構成しても良い。
【００１７】
図３は、この発明の実施の形態１に係るカメラ装置１０の要部であるクリアドーム２１の拡大断面図である。クリアドーム２１の外側表面には親水性膜２３が処理されており、クリアドーム２１の半楕円球面上の内外表面を貫通する排水穴２２が形成されている。排水穴２２は、クリアドーム２１をＰＣやＰＭＭＡなどの樹脂材料を用いて射出成形工程により成形しても良いし、射出成形後のクリアドーム２１に対してレーザ加工などの機械加工により成形しても良い。
【００１８】
排水穴２２は、クリアドーム２１の半楕円球面上の内外表面を貫通していればよく、排水穴２２の形状や方向、数、位置は特に限定するものではない。排水穴２２の直径が大きいほど水滴の排水能力向上が期待できる反面、排水穴２２の縁部や内壁面において入射光が散乱したり、カメラ装置１０により撮影される映像に排水穴２２が映り込んだりすることが懸念される。このため、排水穴２２の直径は１ｍｍ以下であることが好ましい。
ここで、排水穴２２の直径はすべての排水穴２２において同一である必要はないことは言うまでもない。また、排水穴２２の方向がいずれを向いていたとしても毛細管現象により水滴が排水されることが期待できるが、カメラ装置１０の取り付け時に排水穴２２の外側表面の高さが内側表面の高さより低くなるように形成することで重力の影響を受け、より排水能力が向上することが期待できる。
【００１９】
親水性膜２３は、シリカやセルロース等の親水基を有する固形材料を、アルコールや水等の液体中に混合して分散させた材料から構成される。また、親水性膜２３は、スピンコートやディップコート、刷毛塗り、バーコーター、フローコート、ローラーコート等の方法でクリアドーム２１の外側表面に塗布され、液体を揮発または蒸発させることにより形成される。液体を揮発または蒸発させる方法としては、恒温炉内で保管するなどして熱処理により強制的に乾燥させても良い。親水性膜２３の材料としては、紫外線照射により親水性を発現するＴｉＯ２（酸化チタン）等の光触媒作用を有する材料を使用しても良い。
【００２０】
また、親水性膜２３の表面における水に対する接触角は、４０度以下であることが好ましい。例えば屋外で使用するカメラ装置１０におけるクリアドーム２１の外側表面に雨滴が付着した場合でも、親水性膜２３の作用により雨滴が濡れ広がり水膜となる。この効果により、雨滴がそのまま付着した場合に懸念される、入射光の散乱による視認性の低下を回避できる。また、親水性膜２３の表面に空気中の汚染物質が付着した場合であっても、雨滴等による水膜が汚染物質層の内側に形成されることにより汚染物質を洗い流す作用も期待できる。この作用も、クリアドーム２１の表面に汚れが付着することによる視認性低下を回避するために有効である。
【００２１】
図４Ａから図４Ｄは、この発明の実施の形態１に係るカメラ装置１０による排水フローを示す断面図である。図４Ａに示すように、クリアドーム２１の内外における温度差により結露が発生して、クリアドーム２１の内側表面に付着した水滴３３は、図４Ｂに示すように、クリアドーム２１の内側表面に沿って滑落する。この水滴３３は、図４Ｃに示すように、クリアドーム２１に設けられた排水穴２２により、クリアドーム２１の外側表面に排水される。そして、図４Ｄに示すように、水滴３３は、クリアドーム２１の外側表面に処理された親水性膜２３の作用により濡れ広がり、水膜３４となる。図４Ａ〜図４Ｄに示す排水フローにより、結露が発生してクリアドーム２１の内側表面に付着した水滴３３により外部からの入射光が散乱し、カメラ基板１７に設けられた撮像素子上に形成される像が劣化して、カメラ装置１０の視認性が低下する事象を回避できる。
【００２２】
図５および図６は、この発明の実施の形態１に係るカメラ装置１０の排水穴２２および親水性膜２３に関する変形例を示すクリアドームの断面図である。図５に示すように、カメラ装置１０を例えば天井等の映像撮影位置に設置した状態において、クリアドーム２１の外側表面において最も下側に位置する最下点３５を通る平面を下水平面３６とする。また、図５に示すように、下水平面３６をクリアドーム２１の半楕円球面上における最大直径の２０％に相当する高さだけ鉛直上方に平行移動した平面を上水平面３７とする。そして、下水平面３６と上水平面３７との間に挟まれる領域を、クリアドーム２１の先端部領域３８とする。
このとき、クリアドーム２１の先端部領域３８に設けられた排水穴２２のクリアドーム２１の内側表面の底面積の和を、排水穴２２を形成する前のクリアドーム２１の先端部領域３８に該当するクリアドーム２１の内側表面の表面積で除して計算した排水穴底面積占有率が、クリアドーム２１の先端部領域３８以外の領域における排水穴底面積占有率よりも大きくなるように、排水穴２２を形成しても良い。
【００２３】
この構成により、クリアドーム２１の先端部領域３８における排水能力を局所的に増強できるため、結露が発生してクリアドーム２１の内側表面に付着した水滴３３が排水されずにクリアドーム２１の先端部領域３８の内側表面に蓄積した場合でも、直ちにクリアドーム２１の外側表面に排水することができる。
また、図６に示すように、クリアドーム２１の内側表面や排水穴２２の内壁面に対しても親水性膜２３を処理することにより、排水能力の向上が期待できる。なお、親水性膜２３の処理範囲は特に限定する必要はなく、レンズ１９の外表面などに対して形成されても良い。
【００２４】
上述したように実施の形態１においては、親水性膜２３を処理したクリアドーム２１の半楕円球面上において、クリアドーム２１の内外表面を貫通する排水穴２２を設けることにより、結露発生によりクリアドーム２１の内側表面に水滴３３が付着した場合でも、毛細管現象により水滴３３が排水穴２２を通じてクリアドーム２１の外側表面に排水されるため、クリアドーム２１の内側表面に付着した水滴３３により入射光が散乱し、カメラ装置１０の視認性が低下する事象を回避できる。
【００２５】
また、クリアドーム２１の外側表面に排水された水滴３３は、クリアドーム２１の外側表面に処理された親水性膜２３により濡れ広がり、水膜３４を形成するため、外側表面に付着した水膜３４により入射光が散乱することも防止できる。さらに、この発明の実施の形態１によるカメラ装置１０は、視認性低下を回避する方法として結露発生を防止するためのファンやヒータ、除湿素子などを配置する必要がないため、カメラ装置１０の大型化や構成複雑化を回避できるとともに、長期間安定して視認性低下防止効果を保持できる特徴を有している。
【００２６】
実施の形態２．
図７は、この発明の実施の形態２に係るカメラ装置の要部であるクリアドーム２１ａの拡大断面図である。図７に示すように、クリアドーム２１ａの半楕円球面上には、クリアドーム２１ａの内外表面を貫通するように排水穴２２ａが形成されている。排水穴２２ａは、クリアドーム２１ａの内側表面から外側表面に向けて勾配が設けられており、内側表面の排水穴２２ａの直径が外側表面の排水穴２２ａの直径よりも大きくなるように形成されている。
この構成により、クリアドーム２１ａに設けられた排水穴２２ａの内側表面と外側表面において圧力損失差が生じ、排水穴２２ａの直径が大きく圧力損失が小さいクリアドーム２１ａの内側表面から、排水穴２２ａの直径が小さく圧力損失が大きいクリアドーム２１ａの外側表面に向けて水の流れが生じる。これにより、結露が発生してクリアドーム２１の内側表面に付着した水滴３３を積極的に排水することができる。
【００２７】
さらに、雨滴等がクリアドーム２１の外側表面に付着した場合でも、排水穴２２の直径が小さく圧力損失が大きいクリアドーム２１の外側表面から、排水穴２２の直径が大きく圧力損失が小さいクリアドーム２１の内側表面への水滴３３の進入を抑制することができる。
上述したように、実施の形態２においては、クリアドーム２１ａに設けた排水穴２２ａの内側表面と外側表面における圧力損失差が生じ、圧力損失が小さい内側表面から圧力損失が大きい外側表面に積極的に水滴が排出されることになり、結露発生によりクリアドーム２１ａの内表面に付着した水滴３３の排水能力が向上する。さらに、雨滴等がクリアドーム２１ａの外側表面に付着している場合でも、圧力損失の大きい外側表面から圧力損失の小さい内側表面への水滴３３の進入を極力低減することができ、クリアドーム２１ａの内外表面に付着した水滴３３によるカメラ装置１０の視認性低下を防止することができる。
【００２８】
実施の形態３．
図８は、この発明の実施の形態３に係るカメラ装置の要部であるクリアドーム２１ｂの拡大断面図である。図８に示すように、クリアドーム２１ｂは、多孔質透明材料であるＹＡＧ：Ｙ３Ａｌ１５Ｏ１２（アルミン酸イットリウム）やＹ２Ｏ３（酸化イットリウム）等のセラミックス材料で構成されている。これらの材料は、可視〜中赤外の波長光帯域における光をＹＡＧで８４％、Ｙ２Ｏ３で８１％透過する透明セラミックス材料である。セラミックス材料の一般的な特徴である多孔質体構造により、セラミックス材料で構成されたクリアドーム２１ｂには疑似的な排水穴２２が形成されていることになるため、敢えて排水穴２２を二次加工等により形成しなくても、結露が発生してクリアドーム２１ｂの内側表面に付着した水滴３３をクリアドーム２１ｂの外側表面に排水することができ、結露発生による水滴３３が原因でカメラ装置１０の視認性が低下する事象を回避できる。
【００２９】
図９は、ＹＡＧやＹ２Ｏ３等の透明セラミックス材料、ガラス材料、樹脂材料の各物性を高、中、低で評価し、比較した表を図にしたものである。セラミックス材料は、ガラス材料や樹脂材料に比べて耐熱性、耐薬品性、耐食性などが優れており、ガラス材料や樹脂材料のクリアドーム２１ｂでは使用できない過酷な環境における使用が期待される。また、セラミックス材料は、高硬度を示すためクリアドーム２１ｂの内外表面にキズが発生しにくく、キズによりカメラ装置１０の視認性が低下する事象も回避できる。さらに、セラミックス材料の熱伝導率も樹脂材料に比べて５０倍程度大きいため、クリアドーム２１ｂの内外における温度差が小さくなり、結露自体が発生しにくい環境になることが期待できる。
【００３０】
上述したように、この発明の実施の形態３においては、クリアドーム２１ｂに意図的に排水穴２２を設けなくても、セラミックス材料の多孔質構造が排水穴２２と同様の働きをするため、結露が発生してクリアドーム２１ｂの内側表面に付着した水滴３３をクリアドーム２１ｂの外側表面に排水することができ、結露発生による水滴３３が原因でカメラ装置１０の視認性が低下する事象を回避できる。また、樹脂材料によるクリアドーム２１ｂに比べて高硬度材料のため、クリアドーム２１ｂの表面にキズが発生しにくくなり、キズによる視認性低下を防止することができる。さらに耐熱性、耐食性、耐薬品性等も樹脂材料に比べて良好であるため、従来では使用できない過酷な環境においてカメラ装置１０の使用が可能になる。セラミックス材料は、樹脂材料に比べて熱伝導性も５０倍程度大きいため、クリアドーム２１ｂの内外における温度差が小さくなり、結露自体が発生しにくい環境になることが期待できる。
【００３１】
実施の形態４．
図１０は、この発明の実施の形態４に係るカメラ装置の断面図を示し、図１のＡ-Ａ線
における断面図に相当する部分を示す断面図である。以下に、この発明の実施の形態４に係るカメラ装置を、図１０を用いて説明する。図１０に示すように、この発明の実施の形態４におけるカメラ装置１０は、シャーシ１２ｃの内部に中板２４を有しており、中板２４とシャーシ１２ｃの底面および側面により囲まれる空間２６を有している。
中板２４の外周形状は、シャーシ１２ｃの内周形状と類似した形状となっており、中板２４の外周部にＯリング２５を嵌合してシャーシ１２ｃに組み込むことにより、シャーシ１２ｃの内壁面と中板２４の外周面の隙間を埋める構造となっている。Ｏリング２５は、摺動用グリスを塗布して摺動性を向上させても良いし、摺動性に優れるフッ素ゴムなどの材料で構成しても良い。
【００３２】
空間２６は、仕切り板２９により複数の空間に分割されている。ここでは、仕切り板２９を一枚使用して、空間２６を第１の空間２７と第２の空間２８の二つに分割した場合について簡単に説明する。当然ながら、仕切り板２９を複数枚使用して、空間２６をさらに細かく分割しても良いものとする。仕切り板２９には、第１の貫通穴３９が設けられており、この第１の貫通穴３９を覆うように第１の空間２７側にＨＥＰＡフィルタなどのフィルタ３２が設置されている。この構成により、第１の空間２７および第２の空間２８に存在する空気が、仕切り板２９に設けられた第１の貫通穴３９を通じて移動する際に、空気中に含まれる微細な異物や塵挨はフィルタ３２により捕集される。
【００３３】
この発明の実施の形態４においては、仕切り板２９により分割された第１の空間２７と第２の空間２８のいずれか一方に、循環ファン３１が設置されている。ここでは、第１の空間２７に循環ファン３１を設置した場合を説明する。循環ファン３１が設置された第１の空間２７側のシャーシ１２ｃの内壁面には、シャーシ１２ｃおよびカバー１３ｃを通じて外部に繋がる第２の貫通穴４０が設けられており、この第２の貫通穴４０に嵌挿したホース３０を介して外気を第１の空間２７の内部に取り込むことができる。このホース３０と第１の空間２７の接触面にもＨＥＰＡフィルタなどのフィルタ３２が設置されており、外気がホース３０を介して第１の空間２７の内部に取り込まれる際に、空気中に含まれる微細な異物や塵挨はフィルタ３２により捕集される。
【００３４】
シャーシ１２ｃの底面には、仕切り板２９で二つに区切られた第１の空間２７と第２の空間２８のそれぞれがクリアドーム２１ｃで覆われた内部領域と通じるように第３の貫通穴４１が設けられている。クリアドーム２１ｃの内部領域と第１の空間２７および第２の空間２８を通じるように設けられた第３の貫通穴４１に対しても、ＨＥＰＡフィルタなどのフィルタを組み込み、クリアドーム２１ｃで覆われた内部領域と第１の空間２７および第２の空間２８を相互に通過する空気中に含まれる異物や塵挨を捕集するようにしても良い。
【００３５】
上述した構成において、循環ファン３１を作動すると、ホース３０を介して第１の空間２７側に取り込まれた空気は、第１の空間２７側から第２の空間２８側に向かって流れるようになる。このとき、ホース３０および第１の空間２７、第２の空間２８および仕切り板２９の間に設置されたフィルタ３２により空気中に含まれる異物や塵挨は捕集される。これにより異物が除去されて洗浄された空気は、第２の空間２８側のシャーシ１２ｃの底板に設けられた第３の貫通穴４１を通じて、クリアドーム２１ｃで覆われた内部領域に流入する。クリアドーム２１ｃで覆われた内部領域を通過した洗浄空気は、第１の空間２７側のシャーシ１２ｃの底板に設けられた第３の貫通穴４１を通じて、再び第１の空間２７側に戻され、循環ファン３１が作動している限りこの循環を繰り返す。
【００３６】
上述したようにこの発明の実施の形態４においては、循環ファン３１の動力に伴う発熱により暖められた洗浄空気が、クリアドーム２１ｃで覆われた内部領域に送風されることにより、クリアドーム２１ｃで覆われた内部領域における空気が暖められて結露発生を防
止することができる。また、クリアドーム２１ｃの半楕円球面上に設けられた排水穴２２ｃを通じて、洗浄空気の一部は外部に排出される。
【００３７】
これにより、例えば室内に取り付けられたカメラ装置１０により、監視カメラとしての役割を果たしながら同時に空気清浄機としての役割を期待できる。さらに、洗浄空気の気流により排水穴２２ｃを通じて異物や塵挨が外部から侵入することも防止できるため、クリアドーム２１ｃで覆われた内部領域を異物や塵挨が比較的少ない洗浄空気で満たすことができ、外部からの入射光が異物により散乱される割合が低く、鮮明な映像を撮影できることが期待できる。なお、実施の形態４においても、クリアドーム２１ｃの外表面には親水性膜２３ｃが形成されていることは言うまでもない。
なお、この発明は、その発明の範囲内において、各実施の形態を自由に組み合わせたり、各実施の形態を適宜、変形、省略することが可能である。
【符号の説明】
【００３８】
１０  カメラ装置、１１  ベース、１２  シャーシ、１３  カバー、１４  支持部、１５  ホルダープレート、１６  スプリングプレート、１７  カメラ基板、１８  撮像装置、１９  レンズ、２０  カメラユニット、２１  クリアドーム、２２  排水穴、２３  親水性膜、２４  中板、２５  Ｏリング、２６  空間、２７  第１の空間、２８  第２の空間、２９  仕切り板、３０  ホース、３１  循環ファン、３２  フィルタ、３３  水滴、３４  水膜、３５  最下点、３６  下水平面、３７  上水平面、３８  先端部領域、３９  第１の貫通穴、４０  第２の貫通穴、４１  第３の貫通穴
【図１】
2018121140.tif 000003
【図２】
2018121140.tif 000004
【図３】
2018121140.tif 000005
【図４Ａ】
2018121140.tif 000006
【図４Ｂ】
2018121140.tif 000007
【図４Ｃ】
2018121140.tif 000008
【図４Ｄ】
2018121140.tif 000009
【図５】
2018121140.tif 000010
【図６】
2018121140.tif 000011
【図７】
2018121140.tif 000012
【図８】
2018121140.tif 000013
【図９】
2018121140.tif 000014
【図１０】
2018121140.tif 000015